(57)【要約】【課題】一対の対向面を有する偏平チューブ３にインナーフィン４を収納したものにおいて、インナーフィン４の両側に流体のバイパス部が生じるのを防止すること。【解決手段】偏平チューブ３の曲面部２に曲面部閉塞手段５を設ける。【選択図】　　　　図１
2004061032.tif 000002
【特許請求の範囲】
【請求項１】
一対の対向する平坦面部（１）　の両側間が、外側に凸の曲面部（２）　で一体に連結された偏平チューブ（３）　と、
その偏平チューブ（３）　の内部に挿入され、定間隔の波型に曲折されたインナーフィン（４）　と、を有するインナーフィンを有する熱交換器用偏平チューブにおいて、
前記インナーフィン（４）　の高さを、前記対向する一対の平坦面部（１）　の内面高さに整合させると共に、その平坦面部（１）　においてのみ、その全幅に前記インナーフィン（４）　を配置し、
前記曲面部（２）　に、その内面側へ突出するディンプルまたは凸条からなる曲面部閉塞手段（５）　が設けられたことを特徴とするインナーフィンを有する熱交換器用偏平チューブ。
【請求項２】
請求項１において、
前記インナーフィン（４）　が、コルゲートフィンまたはオフセットフィンであり、偏平チューブ（３）　の長手方向両端部には前記ディンプルまたは凸条が形成されず、その両端部がヘッダーの偏平チューブ挿通孔に挿通されて、その挿通部がろう付け固定されるインナーフィンを有する熱交換器用偏平チューブ。
【請求項３】
断面が夫々一対づつの平行な長辺および短辺からなる矩形に形成された偏平チューブ（３ａ）と、
その偏平チューブ（３ａ）に内装され、その断面の内側短辺の高さに等しい高さを有し、その長辺の全長さに等しい幅を有する波型に曲折されたインナーフィン（４）　と、
を具備するインナーフィンを有する熱交換器用偏平チューブ。
【請求項４】
請求項３において、
前記偏平チューブ（３ａ）は、帯状金属板を幅方向に曲折形成して、その両縁部を接合したものからなり、その接合部（６）　の外面側が段付きにならないように平坦に形成されたインナーフィンを有する熱交換器用偏平チューブ。
【発明の詳細な説明】
【０００１】
【発明の属する技術分野】
本発明は、インナーフィンを有する熱交換器用偏平チューブに関する。
【０００２】
【従来の技術】
熱交換器に用いられるインナーフィンを有する偏平チューブは、図７の如く形成されていた。即ち、偏平チューブ３は一対の対向する平坦面部１とその両端間が外側に凸の曲面部２とにより一体に形成され、その内部に図８（Ａ）のコルゲートフィン型または同（Ｂ）のオフセット型のインナーフィン４が内装され、そのインナーフィン４と偏平チューブ３の内面との間がろう付け固定されていた。
このようなインナーフィン４を有する偏平チューブ３は同一長さに切断したものが多数用いられ、夫々の偏平チューブ３が並列されると共に、その長手方向両端が図示しないヘッダーのチューブ挿通孔に挿通され、その挿通部がろう付け固定されていた。
【０００３】
【発明が解決しようとする課題】
ところがこのようなインナーフィンを有する熱交換器用偏平チューブは、偏平チューブ３の曲面部２とインナーフィン４の幅方向両端部との間に大きな空間部が生じ、その部分が流体のバイパス部７となる。即ち、偏平チューブ３内に流通する流体は、よりスペースの大きなバイパス部７をより多く流通してしまい、偏平チューブ３内の各部の流体の流通が不均一になる。そのため、熱交換性能が低下することとなっていた。
【０００４】
【課題を解決するための手段】
請求項１に記載の本発明は、一対の対向する平坦面部（１）　の両側間が、外側に凸の曲面部（２）　で一体に連結された偏平チューブ（３）　と、
その偏平チューブ（３）　の内部に挿入され、定間隔の波型に曲折されたインナーフィン（４）　と、を有するインナーフィンを有する熱交換器用偏平チューブにおいて、
前記インナーフィン（４）　の高さを、前記対向する一対の平坦面部（１）　の内面高さに整合させると共に、その平坦面部（１）　においてのみ、その全幅に前記インナーフィン（４）　を配置し、
前記曲面部（２）　に、その内面側へ突出するディンプルまたは凸条からなる曲面部閉塞手段（５）　が設けられたことを特徴とするインナーフィンを有する熱交換器用偏平チューブである。
【０００５】
請求項２に記載の本発明は、請求項１において、
前記インナーフィン（４）　が、コルゲートフィンまたはオフセットフィンであり、偏平チューブ（３）　の長手方向両端部には前記ディンプルまたは凸条が形成されず、その両端部がヘッダーの偏平チューブ挿通孔に挿通されて、その挿通部がろう付け固定されるインナーフィンを有する熱交換器用偏平チューブである。
【０００６】
請求項３に記載の本発明は、断面が夫々一対づつの平行な長辺および短辺からなる矩形に形成された偏平チューブ（３ａ）と、
その偏平チューブ（３ａ）に内装され、その断面の内側短辺の高さに等しい高さを有し、その長辺の全長さに等しい幅を有する波型に曲折されたインナーフィン（４）　と、
を具備するインナーフィンを有する熱交換器用偏平チューブである。
【０００７】
請求項４に記載の本発明は、請求項３において、
前記偏平チューブ（３ａ）は、帯状金属板を幅方向に曲折形成して、その両縁部を接合したものからなり、その接合部（６）　の外面側が段付きにならないように平坦に形成されたインナーフィンを有する熱交換器用偏平チューブである。
【０００８】
【発明の実施の形態】
次に、図面に基づいて本発明の実施の形態につき説明する。
図１〜図３は夫々本発明の第１〜第３の実施の形態を示す要部斜視図であり、図４は夫々の実施の形態におけるＶ−Ｖ矢視断面図である。
これらの実施の形態における偏平チューブ３は、夫々一対の対向する平坦面部１の両側間が外側に凸の曲面部２で一体に形成されてなる。そしてその偏平チューブ３の内部に挿入されるインナーフィン４は、図８（Ａ）のコルゲート型のもの又は（Ｂ）のオフセット型のものが収納される。それらのインナーフィン４の幅は、偏平チューブ３の平坦面部１の幅に等しい。
【０００９】
そして第１の実施の形態における偏平チューブ３は、幅方向両側に存在する曲面部２に偏平チューブ３の長手方向に間欠的に凸条５ｂがその内面側に曲折形成されている。
また図２の偏平チューブ３は、その両側に偏平チューブ３の長手方向両端を除き連続的な凸条５ｂがその内面側に形成されている。
さらに図３の偏平チューブ３は、その曲面部２にディンプル５ａが定間隔で内面側に突設形成されている。
その結果、ディンプル５ａまたは凸条５ｂによって図４に示す如く、曲面部２の少なくとも一部がインナーフィン４の幅方向端面に近接又は接触し、従来の図７におけるバイパス部７を無くすことができる。それによって、偏平チューブ３の各部には均一に流体が流通する。
【００１０】
次に、図５は本発明の第４の実施の形態を示す要部横断面図であり、この例はその偏平チューブ３ａが断面矩形に形成されたものである。即ち、帯状金属板を曲折形成してその断面の対向する短辺及び長辺が互いに平行に形成されると共に、曲折された両縁部を重ね合わせてその重ね合わせ部を溶接又はろう付け固定したものである。この重ね合わせ部は、一方の縁部が板厚分だけ内側に段付に形成され、その段付部に他方の縁部が重ね合わされる。そのため、その短辺の外面は面一に形成されている。このようにすることにより、偏平チューブ３ａを図示しないヘッダーの偏平チューブ挿通孔に挿通したとき、その挿通部のろう付けが容易となる。即ち、偏平チューブ３ａの断面外周が単純な矩形となり、ヘッダーの偏平チューブ挿通孔をその矩形に容易に整合させることができる。そして、その偏平チューブを偏平チューブ挿通孔に挿入したとき、その挿入部の隙間を均一に維持し、ろう付け性をよくし得る。
【００１１】
次に、図６は本発明の第５の実施の形態を示し、この例は帯状金属板の両縁部が内側に断面Ｌ字状に折り曲げられたものである。そして夫々の縁部が突き合わされ、その突き合わせ部が溶接またはろう付け固定されたものである。この例も、偏平チューブ３ａの短辺の外周が面一に形成され、偏平チューブ３ａをヘッダーにろう付けする際、その液密性を容易に確保している。
さらには、偏平チューブを図示しない矩形の継目無し引抜き管で構成することもできる。或いは、一つの条材を矩形に曲折形成して端縁間を突き合わせ溶接することもできる。これらの場合、図５，図６と同様にインナーフィン４を挿入することができる。
【００１２】
【発明の作用・効果】
請求項１に記載の本発明は、偏平チューブ３の曲面部２に曲面部閉塞手段５を設けたから、インナーフィン４の幅方向両側に形成される湾曲した空間が閉塞され、偏平チューブ３内に流通する流体が曲面部２に沿ってバイパスされることを防止し、偏平チューブ３内の各部に流体を均一に流通させることができる。
上記構成において、偏平チューブ３の長手方向両端部にはディンプルまたは凸条等の曲面部閉塞手段５を設けないものとすることができる。この場合には、その両端部をヘッダーの偏平チューブ挿通孔に挿通し、その挿通部を容易に液密にろう付け固定することができる。
【００１３】
請求項３に記載の本発明は、偏平チューブ３ａの断面を矩形に形成し、偏平チューブ３ａの内面幅いっぱいにインナーフィン４が内装されたものであるから、偏平チューブ３ａ内の各部に均一に流体を流し得る。
上記構成において、偏平チューブ３ａを帯状金属板から形成し、その幅方向両縁を接合し、その接合部外面側に段差がつかないように形成することができる。その場合には、偏平チューブ３ａをヘッダーの偏平チューブ挿通孔にに挿通しその挿通部を液密に且つ容易にろう付け固定することが可能となる。
【図面の簡単な説明】
【図１】本発明の第１の実施の形態を示すインナーフィンを有する熱交換器用偏平チューブの要部斜視図。
【図２】同他の実施の形態を示すインナーフィンを有する熱交換器用偏平チューブの要部斜視図。
【図３】同さらに他の実施の形態を示すインナーフィンを有する熱交換器用偏平チューブの要部斜視図。
【図４】図１〜図３におけるＶ−Ｖ断面略図。
【図５】本発明の第４の実施の形態を示すインナーフィンを有する熱交換器用偏平チューブの要部横断面図。
【図６】同第５の実施の形態を示すインナーフィンを有する熱交換器用偏平チューブの要部横断面図。
【図７】従来型インナーフィンを有する熱交換器用偏平チューブの要部横断面図。
【図８】
夫々の偏平チューブ３，３ａに収納されるインナーフィン４の要部斜視図。
【符号の説明】
１　平坦面部
２　曲面部
３　偏平チューブ
３ａ　偏平チューブ
４　インナーフィン
５　曲面部閉塞手段
５ａ　ディンプル
５ｂ　凸条
６　接合部
７　バイパス部
【図１】
2004061032.tif 000003
【図２】
2004061032.tif 000004
【図３】
2004061032.tif 000005
【図４】
2004061032.tif 000006
【図５】
2004061032.tif 000007
【図６】
2004061032.tif 000008
【図７】
2004061032.tif 000009
【図８】
2004061032.tif 000010